【手続補正書】
【提出日】平成17年8月19日(2005.8.19)
【手続補正１】
【補正対象書類名】明細書
【補正対象項目名】特許請求の範囲
【補正方法】変更
【補正の内容】
【特許請求の範囲】
【請求項１】
凝縮冷媒を貯留し、液冷媒のみを抽出するようにした冷凍サイクル用レシーバタンクであって、
下壁にタンク内空間に連通する冷媒流入孔及び冷媒流出孔が形成された筒状のタンク本体を備え、
前記冷媒流入孔の上端開口位置が、前記冷媒流出孔の上端開口位置よりも低位に配置され、
前記冷媒流入孔の上端開口に、冷媒の透過によって冷媒の流速を低下させる抵抗層が設けられ、
前記冷媒流入孔から流入された冷媒が、前記抵抗層を上向きに透過して、前記タンク内空間に液溜まりを生成するとともに、この液溜まりの液冷媒が、前記冷媒流出孔を通って流出されるよう構成されてなることを特徴とする冷凍サイクル用レシーバタンク。
【請求項２】
前記タンク本体の下壁上面側における前記冷媒流入孔の上端開口周辺が凹陥されて凹段部が形成されて、その凹段部内に前記抵抗層が配置されてなる請求項１記載の冷凍サイクル用レシーバタンク。
【請求項３】
前記抵抗層の上面位置が、前記冷媒流出孔の上端開口位置よりも低位に配置されてなる請求項１又は２記載の冷凍サイクル用レシーバタンク。
【請求項４】
前記抵抗層が、冷媒を前記タンク本体の拡径方向に分散するための多数の分散流路を有する請求項１ないし３のいずれかに記載の冷凍サイクル用レシーバタンク。
【請求項５】
前記抵抗層が、繊維錯綜体からなるフィルター層により構成されてなる請求項１ないし４のいずれかに記載の冷凍サイクル用レシーバタンク。
【請求項６】
前記抵抗層の下面側における前記冷媒流入孔の上端開口に、流入側ストレーナが配置されてなる請求項１ないし５のいずれかに記載の冷凍サイクル用レシーバタンク。
【請求項７】
前記冷媒流出孔の上端開口に、流出側ストレーナが配置されてなる請求項１ないし６のいずれかに記載の冷凍サイクル用レシーバタンク。
【請求項８】
前記タンク本体の内部に前記抵抗層を下方に押圧状態に保持するための抑え部材が設けられてなる請求項１ないし７のいずれかに記載の冷凍サイクル用レシーバタンク。
【請求項９】
前記タンク本体が、その下壁を含む下側部を構成する出入口部材と、中間部から上側部を構成する主タンク部材とを具備する請求項１ないし８のいずれかに記載の冷凍サイクル用レシーバタンク。
【請求項１０】
前記タンク内空間の上側部に、乾燥剤充填層が固定状態に配置されてなる請求項１ないし９のいずれかに記載の冷凍サイクル用レシーバタンク。
【請求項１１】
前記タンク内空間に、乾燥剤充填部材が遊離状態に配置されてなる請求項１ないし１０のいずれかに記載の冷凍サイクル用レシーバタンク。
【請求項１２】
間隔をおいて平行に配置される一対のヘッダーと、両端を両ヘッダーに連通接続する複数の熱交換チューブと、前記熱交換チューブを通過して凝縮された冷媒を流出するための凝縮部出口とを有する熱交換器本体と、
下壁にタンク内空間に連通するレシーバタンク流入孔及びレシーバタンク流出孔が形成された筒状のレシーバタンクと、
前記凝縮部出口から流出された冷媒を、前記レシーバタンク流入孔に導入するための冷媒経路とを備え、
前記レシーバタンク流入孔の上端開口位置が、前記レシーバタンク流出孔の上端開口位置よりも低位に配置され、
前記レシーバタンク流入孔の上端開口に、冷媒の透過によって冷媒の流速を低下させる抵抗層が設けられ、
前記レシーバタンク流入孔から流入された冷媒が、前記抵抗層を上向きに透過して、前記タンク内空間に液溜まりを生成するとともに、この液溜まりの液冷媒が、前記レシーバタンク流出孔を通って流出されるよう構成されてなることを特徴とするレシーバタンク付き熱交換器。
【請求項１３】
前記レシーバタンクの下壁上面側における前記レシーバタンク流入孔の上端開口周辺が凹陥されて凹段部が形成されて、その凹段部内に前記抵抗層が配置されてなる請求項１２記載のレシーバタンク付き熱交換器。
【請求項１４】
前記抵抗層の上面位置が、前記レシーバタンク流出孔の上端開口位置よりも低位に配置されてなる請求項１２又は１３記載のレシーバタンク付き熱交換器。
【請求項１５】
前記抵抗層が、冷媒を前記レシーバタンクの拡径方向に分散するための多数の分散流路を有する請求項１２ないし１４のいずれかに記載のレシーバタンク付き熱交換器。
【請求項１６】
前記抵抗層が、繊維錯綜体からなるフィルター層により構成されてなる請求項１２ないし１５のいずれかに記載のレシーバタンク付き熱交換器。
【請求項１７】
間隔をおいて平行に配置される一対のヘッダーと、両端を両ヘッダーに連通接続する複数の熱交換チューブと、前記両ヘッダーの内部を仕切って、前記複数の熱交換チューブを、凝縮部及び過冷却部とに区分けする仕切部材と、前記凝縮部を通過して凝縮された冷媒を流出するための凝縮部出口と、前記過冷却部に冷媒を流入するための過冷却部入口とを有する熱交換器本体と、
下壁にタンク内空間に連通するレシーバタンク流入孔及びレシーバタンク流出孔が形成された筒状のレシーバタンクと、
前記凝縮部出口から流出された冷媒を、前記レシーバタンク流入孔に導入するとともに、前記レシーバタンク流出孔から流出された冷媒を前記過冷却部入口に導入するための冷媒経路とを備え、
前記レシーバタンク流入孔の上端開口位置が、前記レシーバタンク流出孔の上端開口位置よりも低位に配置され、
前記レシーバタンク流入孔の上端開口に、冷媒の透過によって冷媒の流速を低下させる抵抗層が設けられ、
前記レシーバタンク流入孔から流入された冷媒が、前記抵抗層を上向きに透過して、前記タンク内空間に液溜まりを生成するとともに、この液溜まりの液冷媒が、前記レシーバタンク流出孔を通って流出されるよう構成されてなることを特徴とするレシーバタンク付き熱交換器。
【請求項１８】
前記レシーバタンクの下壁上面側における前記レシーバタンク流入孔の上端開口周辺が凹陥されて凹段部が形成されて、その凹段部内に前記抵抗層が配置されてなる請求項１７記載のレシーバタンク付き熱交換器。
【請求項１９】
前記抵抗層の上面位置が、前記レシーバタンク流出孔の上端開口位置よりも低位に配置されてなる請求項１７又は１８記載のレシーバタンク付き熱交換器。
【請求項２０】
前記抵抗層が、冷媒を前記レシーバタンクの拡径方向に分散するための多数の分散流路を有する請求項１７ないし１９のいずれかに記載のレシーバタンク付き熱交換器。
【請求項２１】
前記抵抗層が、繊維錯綜体からなるフィルター層により構成されてなる請求項１７ないし２０のいずれかに記載のレシーバタンク付き熱交換器。
【請求項２２】
冷媒を凝縮するための凝縮部を有し、その凝縮部により凝縮された冷媒を流出するための凝縮部出口が設けられた凝縮器と、
下壁にタンク内空間に連通するレシーバタンク流入孔及びレシーバタンク流出孔が形成された筒状のレシーバタンクと、
前記凝縮部出口から流出された冷媒を、前記レシーバタンク流入孔に導入するための冷媒経路とを備え、
前記レシーバタンク流入孔の上端開口位置が、前記レシーバタンク流出孔の上端開口位置よりも低位に配置され、
前記レシーバタンク流入孔の上端開口に、冷媒の透過によって冷媒の流速を低下させる抵抗層が設けられ、
前記レシーバタンク流入孔から流入された冷媒が、前記抵抗層を上向きに透過して、前記タンク内空間に液溜まりを生成するとともに、この液溜まりの液冷媒が、前記レシーバタンク流出孔を通って流出されるよう構成されてなることを特徴とする冷凍サイクル用凝縮装置。
【請求項２３】
前記レシーバタンクの下壁上面側における前記レシーバタンク流入孔の上端開口周辺が凹陥されて凹段部が形成されて、その凹段部内に前記抵抗層が配置されてなる請求項２２記載の冷凍サイクル用凝縮装置。
【請求項２４】
前記抵抗層の上面位置が、前記レシーバタンク流出孔の上端開口位置よりも低位に配置されてなる請求項２２又は２３記載の冷凍サイクル用凝縮装置。
【請求項２５】
前記抵抗層が、冷媒を前記レシーバタンクの拡径方向に分散するための多数の分散流路を有する請求項２２ないし２４のいずれかに記載の冷凍サイクル用凝縮装置。
【請求項２６】
前記抵抗層が、繊維錯綜体からなるフィルター層により構成されてなる請求項２２ないし２５のいずれかに記載の冷凍サイクル用凝縮装置。
【請求項２７】
冷媒を凝縮するための凝縮部を有し、その凝縮部により凝縮された冷媒を流出するための凝縮部出口が設けられた凝縮器と、
下壁にタンク内空間に連通するレシーバタンク流入孔及びレシーバタンク流出孔が形成された筒状のレシーバタンクと、
液冷媒を過冷却するための過冷却部を有し、その過冷却部に液冷媒を流入するための過冷却部入口が設けられた過冷却器と、
前記凝縮部出口から流出された冷媒を、前記レシーバタンク流入孔に導入するための第１冷媒経路と、
前記レシーバタンク流出孔から流出された冷媒を、前記過冷却器入口に供給するための第２冷媒経路とを備え、
前記レシーバタンク流入孔の上端開口位置が、前記レシーバタンク流出孔の上端開口位置よりも低位に配置され、
前記レシーバタンク流入孔の上端開口に、冷媒の透過によって冷媒の流速を低下させる抵抗層が設けられ、
前記レシーバタンク流入孔から流入された冷媒が、前記抵抗層を上向きに透過して、前記タンク内空間に液溜まりを生成するとともに、この液溜まりの液冷媒が、前記レシーバタンク流出孔を通って流出されるよう構成されてなることを特徴とする冷凍サイクル用凝縮装置。
【請求項２８】
前記レシーバタンクの下壁上面側における前記レシーバタンク流入孔の上端開口周辺が凹陥されて凹段部が形成されて、その凹段部内に前記抵抗層が配置されてなる請求項２７記載の冷凍サイクル用凝縮装置。
【請求項２９】
前記抵抗層の上面位置が、前記レシーバタンク流出孔の上端開口位置よりも低位に配置されてなる請求項２７又は２８記載の冷凍サイクル用凝縮装置。
【請求項３０】
前記抵抗層が、冷媒を前記レシーバタンクの拡径方向に分散するための多数の分散流路を有する請求項２７ないし２９のいずれかに記載の冷凍サイクル用凝縮装置。
【請求項３１】
前記抵抗層が、繊維錯綜体からなるフィルター層により構成されてなる請求項２７ないし３０のいずれかに記載の冷凍サイクル用凝縮装置。
【請求項３２】
請求項２２ないし３１のいずれか１項に記載の冷凍サイクル用凝縮装置を備えたことを特徴とする冷凍サイクル。
【請求項３３】
請求項３２に記載の冷凍サイクルを備えたことを特徴とする自動車。